(57)【要約】マウント(10)からその作動端(16)まで長手方向(z)に延び、フェルトニードル(1)の長手方向(z)の一部に沿ってフェルトニードル(1)の長手方向に延びる作動部分(15)を有するフェルトニードル(1)であって、・フェルトニードル(1)の半径方向(r)および周方向(φ）に延び、作動部分(15)の長さの大部分にわたって断面領域(24-29)を形成する、断面領域(24-29)と、・作動部分(15)を突き刺し、作動部分(15)の外側表面からフェルトニードル(1)の内部に向かって延びる切欠きによって形成される少なくとも一つのバーブ(2)とを備えており、さらに、出願人が新規性を主張するフェルトニードル(1)は、・フェルトニードル(1)の半径方向(r)に、フェルトニードル(1)の周面から突出する、少なくとも一つのバルジ(7)を備え、・バルジ(7)は、フェルトニードル(1)の長手方向に、作動部分(15)に沿って前記方向(z)だけに延びており、・バルジ(7)は、バーブ(2)のバーブビード(3)に属さない体積成分を有し、・バーブ(2)は、フェルトニードル(1)の長手方向(z)に隣接していることを特徴とする。  また、出願人は、同様のフェルトニードル(1)の製造方法も主張している。
2019519689.tif 000002
【特許請求の範囲】
【請求項１】
マウント（１０）から作動端（１６）まで長さ方向（ｚ）に延び、フェルトニードル（１）の長手方向（ｚ）の一部に沿ってフェルトニードル（１）の長さ方向（ｚ）に延びる作動部分（１５）を有するフェルトニードル（１）であって、
・フェルトニードル（１）の径方向（ｒ）および円周方向（φ）に延び、作動部分（１５）の長さの大部分にわたって断面領域（２４−２９）を形成する、断面領域（２４−２９）と、
・作動部分（１５）に切欠かれ、作動部分（１５）の外側表面からフェルトニードル（１）の内部に向かって延びる切欠きによって形成される少なくとも一つのバーブ（２）と、
を備えており、さらに、
・フェルトニードル（１）の径方向（ｒ）に、フェルトニードル（１）の周面から突出する、少なくとも一つのバルジ（７）を備え、
・バルジ(７)は、フェルトニードル（１）の長さ方向（ｚ）に、作動部分（１５）の長さの一部のみに沿って前記方向（Ｚ）に延びており、
・バルジ(７)は、バーブ（２）のバーブビード（３）に属さない体積成分を有し、
・バーブ（２）は、バルジ(７)にフェルトニードル(１)の長さ方向（ｚ）に隣接している
ことを特徴とするフェルトニードル（１）。
【請求項２】
少なくとも１つのバルジ（７）は、バーブビード（３）の体積成分を含むことを特徴とする請求項１に記載のフェルトニードル。
【請求項３】
少なくとも１つのバルジ(７)の、ニードル軸（３４）から径方向（ｒ）に測定される高さ（Ｈ）が、バルジ（７）の、フェルトニードル（１）の長さ方向（ｚ）の長さ（３０）に沿って変化することを特徴とする請求項１または２のいずれかに記載のフェルトニードル。
【請求項４】
少なくとも１つのバルジ(７)の、ニードル軸（３４）から径方向（ｒ）に測定される高さ（Ｈ）が、フェルトニードル（１）の長さ方向（ｚ）の長さ（３０）に沿って少なくとも１つの局部的な最大部（２１）を有しており、前記最大部は、フェルトニードル（１）の長さ方向（ｚ）に、バーブ（２）の最も近い縁部から、
・バルジ（７）の全体の長さ方向の長さ（３０）の少なくとも２５％
・または、より好ましくは、バルジ（７）の全体の長さ方向の長さ（３０）の少なくとも３０％
の長さで間隔があけられていることを特徴とする請求項１〜３のいずれか１項に記載のフェルトニードル。
【請求項５】
ニードルの周方向（φ）における少なくとも一つのバルジ（７）の幅は、径方向（r）に高さ（Ｈ）が増加するにつれて先細になることを特徴とする請求項１〜４のいずれか１項に記載のフェルトニードル。
【請求項６】
少なくとも1つのバルジ（７）がスエージ加工により成形されたことを特徴とする請求項１〜５のいずれか１項に記載のフェルトニードル。
【請求項７】
・少なくとも１つのバルジ（７）の、外側表面に隣接する少なくとも１つのバーブ（２）が形成された側に、バーブの開口の、フェルトニードル（１）の長さ方向（ｚ）における長さ（３２）と少なくとも対応する距離（３３）で、
・しかしながら、好ましくは、バーブの開口の、フェルトニードル（１）の長さ方向（ｚ）における長さ（３２）の２倍の距離で、
・しかしながら、より好ましくは、バーブの開口の、フェルトニードル（１）の長さ方向（ｚ）における長さ（３２）の４倍の距離で、
・少なくとも１つのバーブ（２）と周方向（φ）に重なるバルジ（７）は、それ以上フェルトニードル（１）の長さ方向（ｚ）に配置されない
ことを特徴とする請求項１〜６のいずれか１項に記載のフェルトニードル。
【請求項８】
マウント（１０）からその作動端（１６）まで長さ方向（ｚ）に延びるフェルトニードル（１）の製造方法であって、
−フェルトニードルのブランクを用意し、
−フェルトニードル（１）の径方向（ｒ）および周方向（φ）に延びる断面領域（２４−２９）を有する作動部分（１５）を成形して、その長さ方向（ｚ）の大部分にわたって断面領域（２４−２９）を形成し、
−作動部分（１５）を貫通し、作動部分（１５）の外面からフェルトニードル（１）の内部に向かって延びる切欠き（２）によって形成されるバーブ（２）を打刻し、
さらに、フェルトニードル（１）の作動部分（１５）の周面を超えてニードルの径方向に突出し、少なくとも１つのフェルトニードル（１）の作動部分（１５）の長さ方向（ｚ）だけに延びる少なくとも１つのバルジ（７）を成形し、
−バーブ（２）とバルジ（７）の位置は、バーブ（２）がバルジ（７）の外側表面とフェルトニードル（１）の長さ方向（ｚ）に隣接するよう選択される
ことを特徴とするフェルトニードル（１）の製造方法。
【請求項９】
バルジ（７）は、バーブ（２）の打刻の前または後に形成されることを特徴とする請求項８に記載の方法。
【請求項１０】
バーブ（２）を打刻する際に、バーブ成形工具は、バルジ(７)の一部も変位させることを特徴とする請求項８または９のいずれかに記載の方法。
【請求項１１】
−作動部（１５）の長さの大部分にわたって延びる少なくとも１つの角部またはエッジ（６）を有する作動部分（１５）が形成され、
−少なくとも１つのバルジ（７）が１つの角部またはエッジ（６）の長手方向（ｚ）の一部に形成される
ことを特徴とする請求項８〜１０のいずれか１項に記載の方法。
【請求項１２】
少なくとも１つのバルジ（７）の成形は、ニードル（１）の径方向（ｒ）に少なくとも主として反対方向に作用する少なくとも２つのプレス工具を用いて行われることを特徴とする請求項８〜１１のいずれか１項に記載の方法。
【請求項１３】
ニードル（１）の径方向（ｒ）に少なくとも主としてバルジ（７）を制限するバルジ（７）の境界表面(３６)は、ニードル（１）の径方向（ｒ）に少なくとも主として作動する少なくとも１つのダイ（２７）によって形成されることを特徴とする請求項８〜１２のいずれか１項に記載の方法。
【請求項１４】
・少なくとも１つの径方向（ｒ）に作動するダイ（２７）が、バルジ（７）の形成中または後にニードル（１）の径方向（ｒ）に移動するか、
・または、ニードル（１）の径方向（ｒ）に作用するダイ（２７）が、バルジ（７）の形成中にニードルに対して径方向に移動することなく、バルジの材料を停止させ、
・それによって、バルジ（７）を少なくとも主にニードル（１）の径方向（ｒ）に制限する、バルジ（７）の境界表面（３６）を形成する
ことを特徴とする請求項８〜１３のいずれか１項に記載の方法。
【請求項１５】
少なくとも主として周方向（φ）に作動する作動表面も有しており、バルジ(７)の成形にも使用される、径方向に作動する少なくとも１つのダイ（２７）が用いられることを特徴とする請求項８〜１４のいずれか１項に記載の方法。
【発明の詳細な説明】
【技術分野】
【０００１】
本発明は、フェルトニードル及び少なくとも1つのフェルトニードルを製造する方法に関する。
【背景技術】
【０００２】
フェルトニードル（felting needles）及びその製造方法は公知である。フェルトニードルは、ランダムに配向された繊維の密度を変えるために使用される。ほとんどの場合、繊維は圧縮されて不織布物を形成する。この目的のために、フェルトニードルは、マウント（mounting：しばしば「フット（foot）」と呼ばれ、ニードルシャンク（needle shank）の曲がった部分からなる）によって、ニードルボード（needle board）から吊り下げられる。これらのフットを除いて、フェルトニードルは、しばしばそれらの作動端部（繊維に近いニードルの端部）が尖った、しばしば細長い針である。
【０００３】
ニードルの前述した長手方向の一部は、一般にニードルの先端に隣接した作動部分によって占有される。一般に、この作動部分は、特別に形成された断面領域を有する（通常、三角形または四角形のような多角形が使用される）。しかしながら、これらの断面領域については、涙滴（teardrops）のような、丸い形状も知られている。作動部分は、作動部分の断面領域の外側の輪郭からその内部方向に延びるバーブ（barbs）を有する。これらのバーブは、しばしば、バービング（barbing）として知られているカッティング加工（cutting action）によって成形される。フェルトニードルのバービングは、他の刊行物、たとえば米国特許第3,224,067号明細書および米国特許第2,495,926号明細書などに記載されている。特にこれらの刊行物の図面から、バービングプロセスは、以下に概説されたバーブの動作モードにとって重要なバーブビード（barbing beads）を生成することが明らかである。上記のバーブは、布繊維に対して移動するニードルボードの作動サイクル中に、布繊維を保持する。したがって、バーブは、フェルトの製造に重要である。バーブビードは、上述したバーブの保持機能を高める。
【発明の概要】
【発明が解決しようとする課題】
【０００４】
ニードルボードは、フェルトの製造中に単位時間あたり多くの作動サイクルを実行する。フェルトニードルが、特に原料繊維と接触する結果として高荷重にさらされることは、驚くべきことではない。したがって、フェルトニードルの耐久性または耐用年数を増加させることは、専門家が長年取り組んできた課題の１つである。この問題を解決するために、米国特許第2,678,484号明細書には、ニードルの長さ方向に複数の連続したバーブを有しており、バーブのニードル先端の最も近くに先導バーブが配置されたフェルトニードルを提供することが示唆されているが、この先導バーブはニードル先端から離れたバーブよりも顕著ではなく、突出量が小さいバーブビードも有している。米国特許第2,495,926号明細書には、異なる形でこの問題を解決しようと試みることが開示されている。すなわち、バービング工具の特別な形成により、バーブビードがより広くなり、したがって、より長い時間にわたって布繊維の連続する摩擦に耐えることができる。
【０００５】
米国特許第3,224,067号明細書には、異なる問題に基づいて技術的教示が言及されている。すなわち、細かい布を効率的で損傷なくニードリングすることを可能にするために、ニードルの作動部分の断面プロファイルに作動部分の長手方向の全範囲にわたって延びる隆起部（ridges）を設けることによって、バーブとそのバーブビードの幅を調整している。上記公報の隆起部またはエッジは、スエージ加工によって形成される。その後、バーブおよびそのビードがニードルの周方向の幅を有するように、バーブがこれらの隆起部に打刻される。線条の隆起部（filigree ridges）がむき出しであるため、バーブとそのビードの耐用年数は上述の方法では増加しそうもない。
【０００６】
本発明は、フェルトニードルの耐用年数を長くすることを目的とする。本発明は、上記の公報のうちの最後のものに基づいており、請求項１および８の特徴を組み合わせることによって目的を達成する。
【課題を解決するための手段】
【０００７】
既に述べたように、ほとんどのフェルトニードルは、フェルトニードルの径方向（ｒ）および周方向（φ）に延在する断面領域を有する作動部分を有し、この断面領域は、作動部分の長手方向の大部分にわたって断面プロファイルによって境界を付けられている。ここで、「作動部分の長手方向の大部分」とは、一般に、この作動部分が、ニードルのシャンクおよび／またはニードルの作動端の端部（一般的には先端部）に隣接する領域と、バーブおよびバーブビードの領域と、を除いた部分のみであることを意味する。このことは、フェルトニードルの作動部分は繊維に刺し込まれる、特にバーブ、および場合によってはバーブビードが繊維に係合するものであるので、有利である。したがって、バーブおよび場合によってはバーブビードが主にまたは専ら、作動部分の断面プロファイルに入り込んだり作動部分の断面プロファイルから外れる。
【０００８】
作動部分には、少なくとも1つのバーブが断面プロファイルに入り込む。この場合のバーブは、断面プロファイルから、フェルトニードルの内側方向、またはニードルの軸方向に延びる切欠き（incut）によって形成される。フェルトニードルのバーブは、一般に、断面プロファイルの外側輪郭から内側に、また場合によってはフェルトニードルの対称軸に向かって径方向と軸方向とに延びていると言うこともできる。
【０００９】
また、既に言及したように、ほとんどのフェルトニードルは、バーブを形成するときの材料の変位によって形成される。これは、バーブの領域にバーブビードを有し、これらのバーブビードは、上述したニードルの輪郭を越えて径方向に突出する。このことは、フェルトの製造に実質的に貢献する。
【００１０】
一般的に上述の特徴を有する従来のフェルトニードルは、以下の特徴によって本発明に従って改良される。
・少なくとも1つのバルジ（bulge）は、前記フェルトニードルの作動部分の円周表面を越えて前記ニードルの径方向（ｒ）に突出し、
・前記バルジは、フェルトニードルの長さ方向（ｚ）における前記作動部分の範囲の一部に沿ってのみ、前記長さ方向（ｚ）に延在し、
・前記バルジは、バーブのバーブビードに属さない体積成分を有し、
・前記バーブは、バルジの外面とフェルトニードルの長さ方向に隣接する
【００１１】
少なくとも1つのバルジは、作動部分の成形中に設けることができる。しかしながら、連続的な製造プロセスによってバルジを有利に生成することもできる。バルジは、フェルトニードルの長手方向における作動部分の範囲の一部において、断面プロファイルを越えて径方向だけに突出する。したがって、バルジは、作動部分の大部分にわたって、また、作動部分の全体にわたっても一定の断面プロファイルの一部ではない。バルジは、さらに、ニードルの構成要素も、作動部分全体に沿って延びている米国特許第3,224,067号明細書の意味するエッジまたは隆起部ではない。
【００１２】
バルジは、バーブビードに属さない体積成分を少なくとも有する、すなわちバーブ成形プロセス中の体積変位の結果として生成されるのではない。しかしながら、一般に、バーブビードによってバルジが補強され、有益である。
【００１３】
バーブがバルジの外面とフェルトニードルの長さ方向に隣接する場合には、特に有利である。このようなバーブは、フェルトの製造中にニードルの前方方向に見て、バーブがバルジの前方または後方に配置されることにより、構成することができる。バルジがバーブよりも先に形成されている場合、バルジが始まる前方に直接バーブを打刻するにしても、バーブが（新しい）バルジの外面に直接隣接するが、バルジの残りの部分がバーブの反対側に残らないようにバーブを打刻するにしても、いずれでも有利である。バーブがバルジの元々の外面に有利に入り込むことができるとも言える。バーブとバルジとの間に小さなギャップ（例えば、ニードルの長手方向（ｚ）におけるバーブの長さよりも小さく、より好ましくは、長手方向（ｚ）におけるバーブの長さの半分よりも小さいか、また、より有利には、ニードルの長手方向（ｚ）におけるバーブの開口の長さの１／４よりも小さい）を形成することもできる。バーブとバルジは周方向に同じ位置で、及び／又は、エッジに配置されていることが有利である。
【００１４】
上述したニードルの径方向（ｒ）は、「高さ方向」とも呼ばれることが多い。少なくとも１つのバルジの高さがニードルの長さ方向に変化すると、有利である。例えば、ニードルの長手方向に広がり径方向によって形成される平面において、バルジが（ニードルの対称軸から見て）凸状の輪郭を有すると、有利である。角張ったプロファイルも有利である。いずれの場合でも、バルジの高さが局部的な最大値を有すると有利である。バルジは、バーブの屈曲点から最大高さ部まで、バルジの長手方向の全範囲の少なくとも２５％、またはさらに好ましくは少なくとも３０％の距離を有すると、有利である。バルジを非マシニングプロセス（例えば、スエージングプロセス）によって製造すること、または少なくとも部分的にそのようなプロセスによってバルジを製造することが有利である。この状況では、ダイまたは少なくとも1つのダイが、ニードルの主に周方向および／または径方向に移動されると有利である。しかしながら、少なくとも１つのバルジは、作動部分の断面プロファイルが形成される成形プロセス中に、またはブランクの製造中に作成されてもよい。
【００１５】
バルジの高さ（=ニードルの軸からの径方向の距離）を増大するようバルジテーパの少なくとも一部を増加すると有利である。フェルトニードルの適用のタイプに応じて、第１のバーブが第１のバルジのニードルの長さ方向のニードル先端に近い側に配置されていると有利である。しかしながら、ニードルには、バーブがニードルの先端からニードルの長さ方向（ｚ）に、離れる側に向かって有利に配置された逆バーブニードルまたはＵ−ニードルと呼ばれるものもある。
【００１６】
この方向（第１のバルジから見たときの第１のバーブの方向）において、所定の距離（例えば、バーブの縁部から測定される）にわたってニードルの長さ方向にバルジをさらに配置しなければ、有利である。これは、バーブと周方向（φ）に重なるバルジに特に当てはまる。
【００１７】
そのような有利な最小の距離の例には、以下のものがある。
ａ）少なくともフェルトニードルの長さ方向におけるバーブ開口の長さに相当する距離
ｂ）しかしながら、有利には、フェルトニードルの長さ方向のバーブ開口の長さの２倍に相当する距離、
ｃ）しかしながら、有利には、フェルトニードルの長さ方向のバーブ開口の長さの４倍に相当する距離、
ｄ）フェルトニードルの長さ方向（ｚ）に配置された第１のバーブと周方向に重なるバルジがもはやそれ以上ない場合。
【００１８】
バルジは、既に存在する（例えば、既にニードルのブランクにある）か、またはバーブを打刻する前に形成されることが有利である。バーブを打刻する際に、バーブ成形工具がまたバルジの一部を変位させ、それにより、ニードルの径方向および/または周方向にバルジのサイズを増大させる（バルジの領域にバーブビードを再び形成して、補強する）ように、バーブを位置決めすることがさらに有利である。この効果は、バーブ成形工具をバルジのすぐ近くに当てることによって、または接触させることによっても、達成することができる。
【００１９】
作動部分の断面プロファイルの境界がニードルの軸から特に離れているニードル表面上に、少なくとも1つのバルジが配置されていると、有利である。これは、エッジまたは角部の領域の場合である。この設計原理が遵守される場合、少なくとも１つのバルジは、既に露出したエッジまたは露出した角部を越えて突出しているので、フェルトの製造中に繊維と非常に強く接触する。
【００２０】
バルジがスエージ加工されたバルジである限り、少なくとも２つのプレス工具を使用してバルジを作成することが有利である。これらの２つのプレス工具は、少なくとも主にニードルの周方向に作用する。しかしながら、一般に、作用方向にはニードルの径方向の成分も含まれる。２つのプレス工具は、反対方向に作用し、同じ量または異なる量だけ動くことができる。ここで、他方の工具（単数または複数）を動かしている間、一方の工具を単に静止させるよう動作させることも可能である。
【００２１】
バルジがニードルの径方向に明確に形成された境界面を備えていると有利である。ニードルの径方向における境界面の成形は、バルジを設定した高さに成形するまで行うことができる。したがって、この方法は、本明細書に開示され、特許請求されるニードルのすべての実施形態において有利である。成形は、少なくとも主にニードルの径方向に作用するダイを用いて行うことができる。少なくとも主に径方向に作用するダイは、主に径方向に作用する作用面を有する。ダイは主に径方向に移動することができる。しかしながら、それはまた、バルジが径方向にさらに成長するのを防止する停止部としても機能することができる。例えば、例：この種の径方向に作用する停止部は、プレス工具が主に周方向に作用し、従ってバルジの材料を径方向に変位させるスエージ加工に起因してバルジがさらに成長するのを防止する。この場合、径方向に作用するダイは、バルジの変位した材料のための停止部として機能する。径方向に作用する停止部またはダイは、主にニードルの径方向に作用するプレス工具の少なくとも1つ（場合によっては一体的に）に構造的に接続されて、スエージ加工されたバルジの場合に、バルジを形成することができる。
【図面の簡単な説明】
【００２２】
以下の図は、本発明のさらなる実施形態を示す。
【図１】従来技術のニードルの一部を示した側面図である。
【図２】バルジ７が既に設けられているニードルの一部を示した側面図である。
【図３】バルジ７とバーブ２を備えたニードル１の一部を示した側面図である。
【図４】いわゆる標準三角ニードルの作動部の断面を示した側面図である。
【図５】いわゆるクロススターニードルの作動部の断面を示した側面図である。
【図６】いわゆるドロップフォーミングニードルの作動部の断面を示した側面図である。
【図７】図7は、いわゆるピンチブレードニードルの作動部分の横断面を示した側面図である。
【図８】いわゆるトライスターニードルの作動部の断面を示した側面図である。
【図９】いわゆるエコスターニードルの作動部の断面を示した側面図である。
【図１０】フェルトニードル１の斜視図である。
【図１１】図３の詳細を示した側面図である。
【図１２】さらなる用語を明確にするためにニードルの部分領域を示した側面図である。
【図１３】ニードルの作動部分の断面領域を再び示した図である。
【図１４】異なる材料からなるバルジを有するニードルの作動部分の断面領域を再び示した図である。
【図１５】異なる材料からなるバルジを有するニードルの作動部分の断面領域を再び示した図である。
【図１６】バルジ７のさらなる実施形態を有するニードル１の一部を示した側面図である。
【図１７】バルジ７のさらなる実施形態を有するニードル１の一部を示した側面図である。
【発明を実施するための形態】
【００２３】
図１は、バービング作用によって形成されたバーブ２とバーブビード３を備えた従来の技術のフェルトニードル１の側面図を示したものである。バーブ２はバーブ深さ５を有する。バーブ２の下部境界はバーブ底９である。また、バーブ前部２０の端部である屈曲点１８で、バーブ前部２０が（径方向の）高さを増加していることも重要である。バーブビードは、バーブ突出４（=バーブビード３の最大高さ部１９とバーブ前部の屈曲点１８との間の径方向の距離）により定量化されることが多い。
【００２４】
図１に示されたニードル１は、図４に示されるように、標準的な三角形の断面形状２４を有する。図２および図３に示すフェルトニードル１もこの断面形状２４を有する。したがって、観察平面１７（図４参照）から、エッジ６（この種のエッジはしばしばベベルと呼ばれる）も認識することができる。
【００２５】
図２には、上述した特徴に加えて、その最大高さ部２１を有するバルジ７が記載されている。このようなバルジは、すでに述べたように、様々な方法で製造することができる。図２による実施の形態では、ダイのインプリント８を認識することができ、スタンピング加工によって成形されたことを示したバルジ７を含んでいる。 バーブ２は、図２に示されていない。
【００２６】
最後に、図３は、バルジに加えて、バーブ２も有するフェルトニードル１の側面図である。したがって、バーブ底部９とバーブ前部２０が見える。 図３に示されたバーブ２とバルジ７の形状は、すでに存在するバルジ７の表面に打刻した切欠き（incut）によって形成することができる。
【００２７】
図４〜図９は、例として、フェルトニードルの作動部分１５の異なる断面形状２４−２９を示したものである。これらの断面形状または領域は、各フェルトニードル１の径方向（ｒ）および周方向（φ）によって形成される平面内で延びている。これらの作動部分１５は利点であるが、本発明は、他の断面形状も拡張して使用することができる。
【００２８】
図４は、３つのエッジ６を備えた作動部分１５の標準的な三角形の断面形状２４を示している。 図１−３、１１−１２、および１６−の観察平面１７は既に述べたとおりである。図５は、多くの場合、クロススター２５という商品名で販売されており、４つのエッジ６を有する作動部分１５の断面形状を示している。図６の断面形状２６は、しばしば専門家にティアドロップ形状と呼ばれる。図７に示した断面形状２７は、しばしば当該技術分野でピンチブレードと呼ばれる。図８および９に示した断面形状は、トリスター（Tristar）２８またはエコスター（EcoStar）２９と呼ばれる。言及した全ての断面形状は、ニードルの作動部分１５において、径方向（ｒ）および周方向（φ）に延びており、作動部分の長手方向の大部分の断面形状を形成するという共通点を有する。この点での例外は、しばしば、バーブ２、バーブビード３およびバルジ７によってのみ作られる。本願明細書等に記載された断面形状は、一例である。本発明は、既知および将来の全ての断面形状の有利な発展に適している。異なるバーブの形状についても同様である。
【００２９】
図１０は、フェルトニードル１を示しており、本願明細書等に使用されているいくつかの用語を明確にしている。多くのフェルトニードルと同様に、このニードル１は、ニードル板に取り付けるためのフット１０を有している。９０°の曲げの後、フェルトニードルのシャンク１１が始まり、これは上方の円錐部１２の後に縮小したシャンク１３に移行する。言うまでもなく、１本のシャフト１１と１本の縮小したシャフト１２ではなく、均一な直径の１本のシャフトだけを有するフェルトニードルは公知である。下方の円錐部１４は、バーブ２が見られる作動部分１５への移行部を形成する。フェルトニードル１は、先端１６で終わっている。勿論、この「先端」１６またはその作用端部が従来のニードルとは異なる輪郭を有する構造のニードルも知られている。本発明は、あらゆる種類のフェルトニードルに有利に用いることができる。
【００３０】
図１１は、図３の拡大した詳細を示している。この図では、特にいくつかの長さ３０、３１、および３２を説明している。
・バルジ７の長手方向の長さ３０は、バルジの始端３５からバーブ前部２０の屈曲点１８に至るｚ方向における延長部の長さである。
・長手方向（ｚ）における長さ３１は、バルジ７の最大高さ部２１とバーブ前部の屈曲点１８との間である。
・バーブ開口部の長手方向の長さ３２は、ニードル１の長手方向（ｚ）におけるバーブ開口部の長さ３２である。
【００３１】
図１２は、図３および図１１と同じ観察平面１７から見たニードル１のより長い部分を示したもので、２つのバーブ２と２つのバルジ７が示されている。バーブ２とバルジ７は、周方向（φ）に同じ位置に配置されている。ニードル１の長手方向（ｚ）のバーブ開口部の長さ３２と、バーブ開口部の縁部から次のバルジ７の始まりまでの距離３３も、示されている。既に言及したように、これらの２つの長さまたは距離３２、３３の一方が他方に対して一定の比率で与えられ、特定の最小距離３３を遵守すると、有利である。
【００３２】
図１３−１５は、ニードルの径方向（ｒ）および周方向（φ）によって形成される平面に沿って延びる、フェルトニードル１の作動部分の断面領域２７−２９を再度示したものである。バルジ７がエッジ６に配置されることは、決して不可欠ではないが、有利である。このようなバルジを作り出すには、いくつかの有利な方法がある。例：
・作動部分１５の断面領域２４−２９を成形する際に、
・スタンピングプロセスによって、図１３に矢印２２で象徴されるように、このプロセスで２つまたは１つのスタンピングダイまたは工具を動かすことができる。
・図１４に示すように、異なる材料２３を挿入することによって。バルジをエッジに配置することが意図されている場合、および、断面形状２７のように、互いに周方向に約１８０°オフセットされたエッジ６を作動部分の断面形状２４−２９が有する場合、ニードルをこのような異なる材料２３の本体で突き刺してこれをニードルに押し込み、あるいは、ドリル加工または同様のプロセスによって形成した適当な孔に異なる材料２３の本体を圧入して貫通させる（図１５）ことも、可能である。
【００３３】
図１２において、破線は、ニードルのニードル軸３４の位置を示している。図６と図８も、このニードル軸の位置を参照符号３４によって明確に示している。ニードル１の断面を示す他の図の断面においても、この位置は十字で示されている。ニードル軸３４は、ニードルの長さ方向に延びる部分の中心である（図１０のシャンク１１、上方の円錐部１２、縮小したシャンク１３、下方の円錐部１４、作動部分１５、場合によっては先端１６）。また、ニードル軸３４は、フットを除くニードルの主対称軸であると言うこともできる。
【００３４】
図１６および図１７は、バルジ７の特別な形状の境界表面３６が径方向（ｒ）に設けられた、バルジ７のさらなる実施形態を有する２つのニードル１の一部の側面図を示したものである。境界表面３６のこの成形は、径方向に動作するダイ３７で行うことができる。両矢印３８は、このダイの作動する方向を示す。この場合、作動する方向とは、ダイ３７もこの方向（ｒ）に移動することを必ずしも意味するものではない。ダイ３７は、例えば、ニードル１に対して静止するとともに、バルジ７の成形中にバルジ７のさらなる成長に対抗する場合に、この方向にも作用することが可能である。境界面３６の上述した成形プロセスは、図示のニードルの全ての実施形態において有利である。バルジの高さ、すなわち、ニードル軸３４から境界表面３６までの径方向の距離を正確に設定することができる。境界表面３６の位置を他の空間上の方向に設定することも、もちろん可能である。これは、図１６と図１７に示した実施の形態の間の差異によって強調される。すなわち、図１６の実施の態では、バルジ７の最大高さ部２１とバーブの前部の屈曲点１８との間に距離３１がある。バルジ７が最大高さ部２１に達すると境界表面３６が始まる。図１７による実施の形態では、距離３１は「ゼロ」に縮められている。この結果は、境界表面３６（図１７参照）を成形する際に、径方向に作用するダイ３７をニードル１に対して長手方向（ｚ）の異なる位置に配置することによって得ることができる。この例もまた、記載された方法を使用して非常に多数のフェルトニードルの変形を作り出すことを明らかにする。
【符号の説明】
【００３５】
１：フェルトニードル、  ２：バーブ、  ３：バーブビード、  ４：バーブの突出部、  ５：バーブの深さ、  ６：エッジ、  ７：バルジ、  ８：ダイのインプリント、  ９：バーブの底部、  １０：フェルトニードルのフット、  １１：フェルトニードルのシャンク、  １２：上方の円錐部、  １３：フェルトニードルの縮小したシャンク、  １４：下方の円錐部、  １５：作動部分、  １６：ニードルの先端、  １７：観察平面、  １８：バーブの前部の屈曲点、  １９：バーブビードの最大高さ部、  ２０：バーブの前部、  ２１：バルジの最大高さ部、  ２２：ピンチング（pinching）ダイの動きを示す矢印、  ２３：異なる材料、  ２４：標準的な三角形、  ２５：クロススター、  ２６：ティアドロップ、  ２７：ピンチブレード、  ２８：トリスター、  ２９：エコスター、  ３０：バルジ７の長手方向の延長部（ｚ）、  ３１：バルジの最大高さ部２１とバーブの前部の屈曲点１８との間の長手方向の距離、  ３２：バーブ開口部２の長手方向（ｚ）の長さ／バーブ開口部のニードル１の長手方向長さ、  ３３：第１バーブ３とさらにバルジ７との間の長手方向の距離、  ３４：ニードル軸、フットのないニードルの対称軸、  ３５：バルジの始まり（ここでは、バーブから遠い方の端部において、バルジは、作動部分の断面プロファイルの円周表面を超えて隆起し始める。）、  ３６：バルジの径方向の境界表面、  ３７：径方向に作用するダイ、  ３８：ダイが作用する方向を示した方向の矢印、  ｚ：ニードルの長手方向の座標、  ｒ：ニードルの径方向の座標、  φ：ニードルの周方向の座標
【図１】
2019519689.tif 000003
【図２】
2019519689.tif 000004
【図３】
2019519689.tif 000005
【図４】
2019519689.tif 000006
【図５】
2019519689.tif 000007
【図６】
2019519689.tif 000008
【図７】
2019519689.tif 000009
【図８】
2019519689.tif 000010
【図９】
2019519689.tif 000011
【図１０】
2019519689.tif 000012
【図１１】
2019519689.tif 000013
【図１２】
2019519689.tif 000014
【図１３】
2019519689.tif 000015
【図１４】
2019519689.tif 000016
【図１５】
2019519689.tif 000017
【図１６】
2019519689.tif 000018
【図１７】
2019519689.tif 000019
【国際調査報告】
2019519689.tif 000020
2019519689.tif 000021
2019519689.tif 000022
2019519689.tif 000023
2019519689.tif 000024
2019519689.tif 000025